(57)【特許請求の範囲】
【請求項１】
引違い戸（１）における屋内側の竪框（４）に固定される戸当板（６）と、
戸当板（６）側から引違い戸（１）の屋内側の竪框（４）と引違い戸（１）の屋外側の竪框（５）との隙間を通して屋外に突出されるロックバー（７）とを備え、
ロックバー（７）の屋外側に、屋外側の戸（３）の開放移動を規制するように錠本体（８）が装着され、錠本体（８）がキーによる操作により、ロックバー（７）に対して着脱自在とされている防犯錠において、
戸当板（６）とロックバー（７）とが別体に構成され、ロックバー（７）の屋内側には上下方向貫通状のピン挿通孔（１５）を有する連結部（１３）が設けられ、戸当板（６）には、上下方向貫通状に形成され且つ前記ロックバー（７）側のピン挿通孔（１５）と上下方向において一致するように位置するピン挿通孔（１４）を有する連結部（１２）が設けられ、屋内側から戸当板（６）とロックバー（７）とが着脱自在となるように、戸当板（６）側のピン挿通孔（１４）とロックバー（７）側のピン挿通孔（１５）とにわたって上下方向で挿脱自在に挿通される連結ピン（９）により戸当板（６）とロックバー（７）とが連結されていることを特徴とする防犯錠。
【請求項２】
前記戸当板（６）及び前記ロックバー（７）が回転しないように、前記連結ピン（９）のピン挿入孔（１４，１５）に挿入する挿入軸部（１１）の断面が屋内外方向に偏平に形成され、前記戸当板（６）のピン挿入孔（１４）と前記ロックバー（７）のピン挿入孔（１５）とが、前記挿入軸部（１１）の断面に対応して偏平に形成されていることを特徴とする請求項１に記載の防犯錠。
【請求項３】
前記連結ピン（９）は、戸当板（６）の連結部（１２）及びロックバー（７）の連結部（１３）に挿入される一対の挿入軸部（１１）と、該各挿入軸部（１１）の上端を連結する指掛け部（１０）とを有し、指掛け部（１０）は、戸当板（６）から離間するように屈曲されていることを特徴とする請求項２に記載の防犯錠。
【発明の詳細な説明】
【０００１】
【発明の属する技術分野】
本発明は、引き違い戸に用いられる防犯錠に関するものである。
【０００２】
【従来の技術】
近年、引違い戸５１における防犯錠として、例えば図２０，図２１に示すように屋内側の竪框５４に固定される戸当板５６と、戸当板５６側から屋内側の引違い戸の竪框５４と屋外側の引違い戸の竪框５５との隙間を通して屋外に突出されるロックバー５７とが一体となり、ロックバー５７の屋外側に、屋外側の引違い戸５３の開放移動を規制するように錠本体５８が装着され、錠本体５８が屋外からのキーによる操作により、ロックバーに対して着脱自在とされている防犯錠が一般に知られている。
【０００３】
しかして、この防犯錠は、特に既設の引違い戸に簡単な工事のみで取り付けることが出来、また、施錠状態も堅固で良好であり、さらにコストも安価であるため現在ではきわめて多くの需要が見込まれている。
【０００４】
【発明が解決しようとする課題】
しかしながら、従来の引違い戸における防犯錠については、戸当板５６とロックバー５７とが一体であるため、戸当板５６とロックバー５７とを分離することができず、屋外側でのみ施錠、解錠が可能であり、屋内側から解錠不可能である。従って、屋内に誤って人が残っているのに、これに気付かず防犯錠を屋外側から施錠したような場合、閉じ込められた者が屋内側から施錠を解除して引違い戸５１を開けることができないという不便があった。
【０００５】
本発明は、上記の事情に鑑みて為されたものであり引違い戸５１における屋内側から簡単に解錠出来る防犯錠を提供することを目的とする。
【０００６】
【課題を解決するための手段】
前記目的を達成するために、本発明は次の手段を講じた。
即ち、本発明における課題解決のための第１の具体的手段は、引違い戸１における屋内側の竪框４に固定される戸当板６と、
戸当板６側から引違い戸１の屋内側の竪框４と引違い戸１の屋外側の竪框５との隙間を通して屋外に突出されるロックバー７とを備え、
ロックバー７の屋外側に、屋外側の戸３の開放移動を規制するように錠本体８が装着され、錠本体８がキーによる操作により、ロックバー７に対して着脱自在とされている防犯錠において、
戸当板６とロックバー７とが別体に構成され、ロックバー７の屋内側には上下方向貫通状のピン挿通孔１５を有する連結部１３が設けられ、戸当板６には、上下方向貫通状に形成され且つ前記ロックバー７側のピン挿通孔１５と上下方向において一致するように位置するピン挿通孔１４を有する連結部１２が設けられ、屋内側から戸当板６とロックバー７とが着脱自在となるように、戸当板６側のピン挿通孔１４とロックバー７側のピン挿通孔１５とにわたって上下方向で挿脱自在に挿通される連結ピン９により戸当板６とロックバー７とが連結されていることである。
【０００７】
本発明における課題解決のための第２の具体的手段は、第１の具体的手段に加えて前記戸当板６及び前記ロックバー７が回転しないように、前記連結ピン９のピン挿入孔１４，１５に挿入する挿入軸部１１の断面が屋内外方向に偏平に形成され、前記戸当板６のピン挿入孔１４と前記ロックバー７のピン挿入孔１５とが、前記挿入軸部１１の断面に対応して偏平に形成されていることである。
本発明における課題解決のための第３の具体的手段は、第１の具体的手段に加えて前記連結ピン９は、戸当板６の連結部１２及びロックバー７の連結部１３に挿入される一対の挿入軸部１１と、該各挿入軸部１１の上端を連結する指掛け部１０とを有し、指掛け部１０は、戸当板６から離間するように屈曲されていることである。
【０００８】
【発明の実施の形態】
以下、本発明を図示の実施の形態に従って説明する。
図１〜図６は、本発明に係る防犯錠Ａ体部から径方向に突出する突出部が設けられ、この突出部が、カム操作部材のロック解除位置にて、ケース本体の背面側に係合して、カム操作部材が抜け止めされるように構成されていることを特徴とする。
また、前記係合歯車に噛合して該係合歯車を一方向及び他方向のいずれの方向にも回転不能とすることで操作体を操作不能とすべく、ストッパ片を一対備えているのがよい。
【０００９】
また、ロックカムは一対のストッパ片の間に配置されているのがよい。
【００１０】
【発明の実施の形態】
以下、本発明の実施の形態を図面に基づいて説明する。
図面は、スチーとロックバー７とを連結する連結ピン９とを有している。
これら戸当板６，ロックバー７，錠本体８及び連結ピン９は、いずれも金属、樹脂、木材等によって形成されている。
戸当板６は、長方形状の戸当板本体１８を有すると共に、ロックバー７側に、上下一対の連結部１２を有している。戸当板本体１８には取付穴１９が設けられていて、取付穴１９に、ビス，固定ねじ等の固定具２０を挿入することで、戸当板６は屋内側の竪框４の端面４ａに固定される。上下一対の連結部１２は、戸当板本体１８から屈曲されて、ロックバー７の反対側に突出されている。
【００１１】
戸当板６の各連結部１２には、該連結部１２を上部片１２ａと下部片１２ｂとを区分けするように切り込み１２ｃが形成され、その下部片１２ｂ又は上部片１２ａのいずれか一方を、コの字上に屈曲することにより、上部片１２ａと下部片１２ｂとの間に、ピン挿入孔１４が形成されている。このピン挿入孔１４は、偏平形に形成されている。
ロックバー７は、戸当板６側から引違い戸１の屋内側の竪框４と引違い戸１の屋外側の竪框５との隙間を通して屋外に突出されるもので、取付板部２１と係合板部２２とを一体に有すると共に、戸当板６側に連結部１３を有している。
【００１２】
係合板部２２は細長い板状に形成され、係合板部２２の下端に多数の係合部１７が、長手方向に鋸歯状に形成されている。取付板部２１は長方形形状に形成され、連結部１３は、取付板部２１から係合板部２２とは反対側に突出されている。
ロックバー７の連結部１３には、該連結部１３を上下片１３ａと中央片１３ｂとに区分けするように上下一対の切り込み１３ｃが設けられており、中央片１３ｂをコの字状に屈曲することにより、上下片１３ａと中央片１３ｂとの間に、ピン挿入孔１５が形成されている。このピン挿入孔１５は、前記連結部１２のピン挿入孔１４に対応して扁平形に形成されている。
【００１３】
ロックバーの連結部１３は、戸当板６の上下一対の連結部１２に対応する大きさ及び形状に形成されていて、戸当板６の上下一対の連結部１２間に嵌合して、ピン挿入孔１４とピン挿入孔１５とが上下に一致した状態になるように構成されており、この連結部１２，１３のピン挿入孔１４，１５に後述する連結ピン９の挿入軸部１１を挿入することにより、戸当板６に対してロックバー７を着脱自在に連結できるようになっている。
錠本体８には、挿通孔２３が設けられている。錠本体８は、挿通孔２３を介して係合板部２２にその長手方向に摺動自在に外嵌保持され、錠本体８を係合板部２２に対してその先端側に摺動することにより、錠本体８を係合板部２２から取り外し可能になっている。また、錠本体８は鍵穴２７を有し、この鍵穴２７にキーを挿入して、錠本体８に表示されている「しめる」方向にキーを回動することで、図示省略の係合ピンが係合部１７に係合し、これにより、錠本体８は、係合板部２２に対してその先端側方向（取付板部２１とは反対側）への摺動が規制され、係合板部２２に対してその基端側方向（取付板部２１側）への摺動のみが許容されるようになっている。また、錠本体８に表示されている「あける」方向にキーを回動することで、キーが鍵穴２７から抜脱不能になると共に、図示省略の係合ピンが係合部１７から外れて、キーのついたままの錠本体８が係合板部２２に対してその先端側及び基端側の両方に摺動自在となるように構成されている。
【００１４】
錠本体８の端面に当接部材１６が接着されている。この当接部材１６は例えばゴムによって構成され、屋外側の竪框５が錠本体８に当接するときに緩衝材として機能する。
前記連結ピン９は、戸当板６の連結部１２及びロックバー７の連結部１３に挿入される挿入軸部１１と、挿入軸部１１の上端から突出された指掛け部１０とを一体に有している。挿入軸部１１の断面は、ピン挿入孔１４，１５に対応して偏平形に形成され、挿入軸部１１は、ロックバーの連結部１３を戸当板６の上下一対の連結部１２間に嵌合した状態で、連結部１２，１３にピン挿入孔１４，１５を介して挿脱自在に挿入可能である。指掛け部１０は、連結ピン９の挿入軸部１１を連結部１２，１３に挿入した状態のときに戸当板６から離間するように、屈曲されており、これにより指掛け部１０を用いて、連結ピン９の挿入軸部１１を連結部１２，１３に対して挿脱しやすくなるようにしている。
【００１５】
上記第１実施の形態によれば、防犯錠を引違い戸１に取り付けるには、連結ピン９によりロックバー７と戸当板６とを連結すると共に、ロックバー７から錠本体８を取り外した状態で、屋内側から、ロックバー７をその係合板部２２側から屋内側の竪框４と屋外側の竪框５との隙間を通して屋外に突出して、戸当板本体１８を屋内側の竪框４の端面４ａに添わすと同時に、ロックバー７の取付板部２１を屋内側の竪框４の外面４ｂに添わし、この状態で、戸当板本体１８を、取付穴１９を利用してビス等の固定具２０により、屋内側の竪框４の端面４ａに固定すればよい。
【００１６】
その後、防犯錠で引違い戸１を施錠するには、引違い戸１を閉じた状態で、屋外側からロックバー７の係合板部２２に錠本体８を挿通孔２３を介して外嵌装着すると同時に、鍵穴２７にキーを挿入して「しめる」方向にキーを回動した後、錠本体８を係合板部２２の基端側に摺動して、屋外側の竪框５に錠本体８の当接部材１６を接当させると共に、鍵穴２７からキーを抜き取っておけばよい。これにより、屋外側の戸３は、屋外側の竪框５に錠本体８が当接部材１６を介して接当することにより、その開方向の移動が規制され、屋内側の戸２は、屋内側の竪框４に戸当板本体１８が固定されていることにより、その開方向への移動が規制され、引違い戸１が簡単に施錠される。
【００１７】
そして、屋内に人が残っているのに、これに気付かず誤って防犯錠を屋外側から施錠したような場合には、屋内に残っている者が、屋内側から、連結ピン９の指掛け部１０を摘んで連結部１２、１３から連結ピン９の挿入軸部１１を引き抜けばよく、戸当板６とロックバー７とが分離し、屋内側の戸２及び屋外側の戸３が開方向に移動可能になり、屋内側から防犯錠による引違い戸１の施錠を簡単に解除することができ、非常に便利である。
また、分離した戸当板６とロックバー７とを連結するには、引違い戸１を閉じた状態にして、ロックバー７の連結部１３を戸当板６の上下一対の連結部１２間に嵌合し、この状態で連結ピン９の挿入軸部１１を連結部１２，１３に挿入すればよく、連結ピン９により、戸当板６とロックバー７とを連結することができ、防犯錠で引違い戸１を施錠可能な元の状態に簡単に戻すことができる。
【００１８】
なお、図７に示すように、引違い戸１には前記防犯錠Ａよりも頑丈な防犯錠Ｂが本錠として装着され、この防犯錠Ｂの補助として本願発明に係る防犯錠Ａが防犯錠Ｂに近接した位置に取付けられる。ただし、引違い戸位置に対して本発明Ａを単独で使用してもよい。
図８〜図１６は、本発明に係る第２実施形態を示している。
この第２実施形態では、ロックバー７の取付板部２１及び係合板部２２に対して連結部１３が別体に構成され、分離体２４に連結部１３が設けられている。連結部１３はピン挿通孔２５を有する扁平な円筒状に形成され、分離体２４は取付板部２１の裏面にスポット溶接されている。戸当板６の上下一対の連結部１２は、前記ロックバー７の連結部１３に対応して扁平な円筒状に形成され、ロックバーの連結部１３が、戸当板６の上下一対の連結部１２間に嵌合して、連結部１２，１３のピン挿入孔１４とピン挿入孔１５とが上下に一致した状態になるように構成されている。
【００１９】
なお、この実施の形態の場合、取付板部２１及び係合板部２２に対して連結部１３を別体に構成しているため、分離板２４の連結部１３の加工と、係合板部２２の下端に対する多数の係合部１７の加工とを、分離して行うことができる。従って、第１実施形態の一体に形成されている取付板部２１と係合板部２２との加工の複雑さを解消することができる。
連結ピン９は、図１４に示すように、挿入軸部１１（挿入軸部１１ａ，挿入軸部１１ｂ）を一対有し、該各挿入軸部１１の上端が指掛け部１０の両端部に各々連結されている。各挿入軸部１１の断面は、偏平に形成され、挿入軸部１１ａの断面形状に対応して、戸当板６のピン挿入孔１４と前記ロックバー７のピン挿入孔１５とが偏平に形成されている。指掛け部１０は、連結ピン９の挿入軸部１１を連結部１２，１３に挿入した状態のときに戸当板６から離間するように、Ｖ字状に屈曲されており、これにより指掛け部１０を用いて、連結ピン９の挿入軸部１１を連結部１２，１３に対して挿脱しやすくなるようにしている。
【００２０】
その他の点は前記第１実施形態と同様の構成である。
上記第２実施形態によれば、前記第１実施の形態の場合と同様に、図８に示すように、防犯錠を引違い戸１に簡単に取り付けできると共に、防犯錠により、引違い戸１を簡単に施錠することができるし、連結部１２，１３から連結ピン９の挿入軸部１１ａを引き抜くことにより、屋内側から、戸当板６とロックバー７とが分離して、防犯錠による引違い戸１を施錠を簡単に解除することができる。
しかも、連結ピン９は、図１４に示すように、一対の挿入軸部１１（挿入軸部１１ａ、挿入軸部１１ｂ）を有し、該各挿入軸部１１ａ，１１ｂの上端がＶ字状に屈曲した指掛け部１０の両端部に各々連結されているため、図１又は図８に示す通常の配置の引違い戸１とは異なって、図１１に示すように、屋外から向かって、屋内側の戸２が右側に配置され、屋外側の戸３が左側に配置された４枚引き戸用等の引違い戸１に対しても、防犯錠を、簡単に取り付けることができる。
【００２１】
即ち、防犯錠を図１１に示す引き違い戸１に取り付ける場合、図１２に示すように、ロックバー７の係合部１７が上側を向くように、前記図８に示す取り付け状態に対してロックバー７の上下及び左右を反転させ、連結ピン９の他方の挿入軸部１１ｂを連結部１２，１３に挿入して、ロックバー７と戸当板６とを連結すると共に、ロックバー７から錠本体８を取り外した状態で、屋内側から、ロックバー７をその係合板部２２側から屋内側の竪框４と屋外側の竪框５との隙間を通して屋外に突出して、戸当板本体１８を屋内側の竪框４の端面４ａ（図１１に示す）に添わすと同時に、ロックバー７の取付板部２１を屋内側の竪框４の外面に添わし、この状態で、戸当板本体１８を、取付穴１９を利用してビス等の固定具２０により、屋内側の竪框４の端面４ａに固定すればよい。
【００２２】
このとき、連結ピン９の指掛け部１０が戸当板６からＶ字状に離間するため、屋外から向かって、屋内側の戸２が右側に配置され、屋外側の戸３が左側に配置された４枚引き戸用等の引違い戸１に対しても、連結ピン９の指掛け部１０が邪魔になるようなこともなく、防犯錠を、簡単かつ確実に取り付けできる。また、図１１に示す引違い戸１に防犯錠を取り付けた場合でも、前記と同様に、防犯錠により、引違い戸１を簡単に施錠することができる。さらに、このとき、連結ピン９の挿入軸部１１ｂを連結部１２，１３に挿入した状態で、指掛け部１０が戸当板６からＶ字状に離間するため、指掛け部１０を使用して、連結部１２，１３から連結ピン９の挿入軸部１１ｂを引き抜くことにより、屋内側から、戸当板６とロックバー７とが分離して、防犯錠による引違い戸１を施錠を簡単に解除することができる。
【００２３】
なお、第１実施形態では、戸当板６とロックバー７とを連結する連結ピン９として、一本の挿入軸部１１と該挿入軸部１１の上端から突出された指掛け部１０とを一体に有するものを使用しているが、これに代え、連結ピン９として、第２実施形態で用いた連結ピン９と同様に、挿入軸部１１（挿入軸部１１ａ，挿入軸部１１ｂ）を一対有し、該各挿入軸部１１（挿入軸部１１ａ，挿入軸部１１ｂ）の上端が指掛け部１０の両端部に各々連結されているものを使用するようにしてもよく、このようにすれば、第２実施形態の場合と同様に、図１１に示す引違い戸１に対しても防犯錠を良好に取り付けることができるようになる。
【００２４】
また、第２実施形態では、戸当板６とロックバー７とを連結する連結ピン９として、挿入軸部１１（挿入軸部１１ａ，挿入軸部１１ｂ）を一対有し、該各挿入軸部１１（挿入軸部１１ａ，挿入軸部１１ｂ）の上端が指掛け部１０の両端部に各々連結されているものを使用しているが、これに代え、連結ピン９として、第１実施形態で用いた連結ピン９と同様に、一本の挿入軸部１１と該挿入軸部１１の上端から突出された指掛け部１０とを一体に有するものを使用するようにしてもよい。
【００２５】
また、前記第１実施形態及び第２実施形態で使用した連結ピン９に代えて、図１７〜図１９に示すような連結ピンを使用するようにしてもよい。
【００２６】
【発明の効果】
本発明によれば、防犯錠を、引違い戸における屋内側から簡単に解錠できる。
【図面の簡単な説明】
【図１】  本発明の第１実施の形態を示す防犯錠取付部分の平面図である。
【図２】  同防犯錠の正面図である。
【図３】  同防犯錠の背面図である。
【図４】  同防犯錠の下面図である。
【図５】  同防犯錠の右側面図である。
【図６】  同防犯錠の左側面図である。
【図７】  防犯錠を具えた引違い戸全体の正面図である。
【図８】  本発明の第２実施の形態を示す防犯錠取付部分の平面図である。
【図９】  同防犯錠の正面図である。
【図１０】  同防犯錠の右側面図である。
【図１１】  引き違い戸の位置を変えた場合の防犯錠取付部分の平面図である。
【図１２】  同防犯錠の正面図である。
【図１３】  同防犯錠の左側面図である。
【図１４】  一対の挿入軸部図を有する連結ピンの正面図である。
【図１５】  同連結ピンの左側面図である。
【図１６】  同連結ピンの平面図である。
【図１７】  その他の連結ピンの正面図である。
【図１８】  その他の連結ピンの正面図である。
【図１９】  その他の連結ピンの正面図である。
【図２０】  従来の例を示す平面断面図である。
【図２１】  従来の例を示す正面図である。
【符号の説明】
１      引違い戸
２      屋内側の戸
３      屋外側の戸
４      屋内側の竪框
４ａ    屋内側の竪框の端面
４ｂ    屋内側の竪框の外面
５      屋外側の竪框
６      戸当板
７      ロックバー
８      錠本体
９      連結ピン
１０      指掛け部
１１      挿入軸部
１２      連結部  （戸当板）
１２ａ    上部片
１２ｂ    下部片
１２ｃ    切り込み
１３      連結部  （ロックバー）
１３ａ    上下片
１３ｂ    中央片
１３ｃ    切り込み
１４      ピン挿入孔  （戸当板）
１５      ピン挿入孔  （ロックバー）
１６      当接部材
１７      係合部
１８      戸当板本体
１９      取付穴
２０      固定具
２１      取付板部
２２      係合板部
２３      挿通孔
２４      分離体
２５      ピン挿通孔
２７      鍵穴
５１      引違い戸
５３      屋外側の戸
５４      屋内側の竪框
５５      屋外側の竪框
５６      戸当板
５７      ロックバー
５８      錠本体
【図１】
0003848103.tif 000002
【図２】
0003848103.tif 000003
【図３】
0003848103.tif 000004
【図４】
0003848103.tif 000005
【図５】
0003848103.tif 000006
【図６】
0003848103.tif 000007
【図７】
0003848103.tif 000008
【図８】
0003848103.tif 000009
【図９】
0003848103.tif 000010
【図１０】
0003848103.tif 000011
【図１１】
0003848103.tif 000012
【図１２】
0003848103.tif 000013
【図１３】
0003848103.tif 000014
【図１４】
0003848103.tif 000015
【図１５】
0003848103.tif 000016
【図１６】
0003848103.tif 000017
【図１７】
0003848103.tif 000018
【図１８】
0003848103.tif 000019
【図１９】
0003848103.tif 000020
【図２０】
0003848103.tif 000021
【図２１】
0003848103.tif 000022